(57)【特許請求の範囲】
【請求項１】
火格子式廃棄物焼却炉であって、火格子を備え該火格子上の廃棄物を燃焼する燃焼室と、燃焼室に連設されて燃焼室からの可燃性ガスを二次燃焼する二次燃焼室と、燃焼用一次空気を上記火格子の下から上記燃焼室内に吹き込む一次空気吹込手段と、高温ガスを上記燃焼室の天井から下向きに吹き込む高温ガス吹込手段と、燃焼室のガス出口に設けられ二次燃焼空気を吹き込む二次燃焼空気吹込手段とを有する火格子式廃棄物焼却炉において、
燃焼室内の火炎視認状況を撮像して、撮像した瞬時の画像を画像処理し、明るさ、色彩、火炎形状のうち少なくとも一つを数値化した画像情報を得て、その時間平均値を算出して得る火炎視認状況を示す画像情報信号を、火炎視認状況信号として発する監視手段を備え、
高温ガス吹込手段は、監視手段からの火炎視認状況信号に基づき高温ガス供給量を制御する高温ガス吹込制御手段を備え、
二次燃焼空気吹込手段は、監視手段からの火炎視認状況信号に基づき二次燃焼空気供給量を制御する二次燃焼空気吹込制御手段を備え、
高温ガス吹込制御手段と二次燃焼空気吹込制御手段は、煤が発生している燃焼状況を、火炎を含む燃焼室内の燃焼状況を撮像した画像から得る画像情報の変動から検知し、燃焼室内で廃棄物の不完全燃焼が生じていて燃焼状況が正常燃焼状態から変動していると判定し、監視手段から発信された火炎視認状況信号である画像情報の時間平均算出値を、予め正常燃焼し煤が発生していない時に撮像して得られた画像情報の基準値と比較した差分を求め、この差分が許容範囲内にあるかどうかを判定し、差分が許容範囲内にない場合に、燃焼状況が正常燃焼状態から変動していると判定し、差分が許容範囲内に収まるまで、その差分にもとづいて高温ガス供給量と二次燃焼空気供給量を制御することを特徴とする火格子式廃棄物焼却炉。
【請求項２】
火格子式廃棄物焼却炉による廃棄物焼却方法であって、火格子を備え該火格子上の廃棄物を燃焼する燃焼室と、燃焼室に連設されて燃焼室からの可燃性ガスを二次燃焼する二次燃焼室と、燃焼用一次空気を上記火格子の下から上記燃焼室内に吹き込む一次空気吹込手段と、高温ガスを上記燃焼室の天井から下向きに吹き込む高温ガス吹込手段と、燃焼室のガス出口に設けられ二次燃焼空気を吹き込む二次燃焼空気吹込手段とを有する火格子式廃棄物焼却炉による廃棄物焼却方法において、
監視手段により燃焼室内の火炎視認状況を撮像して、撮像した瞬時の画像を画像処理し、明るさ、色彩、火炎形状のうち少なくとも一つを数値化した画像情報を得て、その時間平均値を算出して得る火炎視認状況を示す画像情報信号を、火炎視認状況信号として発し、
高温ガス吹込手段に備えられる高温ガス吹込制御手段で、監視手段からの火炎視認状況信号に基づき高温ガス供給量を制御し、
二次燃焼空気吹込手段に備えられる二次燃焼空気吹込制御手段で、監視手段からの火炎視認状況信号に基づき二次燃焼空気供給量を制御し、
高温ガス吹込制御手段と二次燃焼空気吹込制御手段で、煤が発生している燃焼状況を、火炎を含む燃焼室内の燃焼状況を撮像した画像から得る画像情報の変動から検知し、燃焼室内で廃棄物の不完全燃焼が生じていて燃焼状況が正常燃焼状態から変動していると判定し、監視手段から発信された火炎視認状況信号である画像情報の時間平均算出値を、予め正常燃焼し煤が発生していない時に撮像して得られた画像情報の基準値と比較した差分を求め、この差分が許容範囲内にあるかどうかを判定し、差分が許容範囲内にない場合に、燃焼状況が正常燃焼状態から変動していると判定し、差分が許容範囲内に収まるまで、その差分にもとづいて高温ガス供給量と二次燃焼空気供給量を制御することを特徴とする廃棄物焼却方法。

【発明の詳細な説明】
【技術分野】
【０００１】
本発明は、都市ごみ等の廃棄物を焼却する火格子式廃棄物焼却炉及び廃棄物焼却方法に関する。
【背景技術】
【０００２】
都市ごみ等の廃棄物を焼却処理する焼却炉として、火格子式廃棄物焼却炉が広く用いられている。その代表的なものの構成の概要を以下に説明する。
【０００３】
火格子式廃棄物焼却炉は、廃棄物を燃焼する燃焼室の下部に廃棄物の移動方向に配置され三段から成る火格子（乾燥火格子、燃焼火格子そして後燃焼火格子）を有し、後燃焼火格子の上方に位置する燃焼室の出口に二次燃焼室が連設されている。上記燃焼室には乾燥火格子の上方に位置して廃棄物投入口が設けられている。そして後燃焼火格子の廃棄物の移動方向下流側下方には灰落下口が設けられている。通常、上記二次燃焼室は廃熱回収用の廃熱ボイラの一部でもあり、その入口近傍部分である。また、乾燥火格子、燃焼火格子そして後燃焼火格子それぞれの火格子下から燃焼用一次空気を吹き込む燃焼用一次空気吹込み機構が設けられている。
【０００４】
このような火格子式廃棄物焼却炉において、廃棄物投入口から燃焼室内に投入された廃棄物は、乾燥火格子上に堆積され、乾燥火格子の下からの空気と炉内の輻射熱により乾燥されると共に、昇温されて着火する。すなわち、上記乾燥火格子の直上方では、廃棄物の移動方向の上流側空間で乾燥領域が形成され、乾燥火格子の直上方の下流側空間から燃焼火格子の直上方の上流側空間にかけて燃焼開始領域が形成される。燃焼開始領域で着火して燃焼を開始した廃棄物は、乾燥火格子から燃焼火格子上に送られ、廃棄物が熱分解されて可燃性ガスが発生し、燃焼火格子の下から送られる燃焼用一次空気により可燃性ガスと固形分が燃焼し、燃焼火格子の直上方空間で主燃焼領域が形成される。そして、更に後燃焼火格子上で、固定炭素など未燃分が完全に燃焼し、該後燃焼火格子の直上方空間で後燃焼領域が形成される。しかる後、燃焼後に残った灰は、灰落下口より外部に排出される。
【０００５】
かくして、火格子式廃棄物焼却炉では、廃棄物は燃焼室にて三段の火格子の下から吹き込まれる燃焼用一次空気により燃焼する。さらに、燃焼室からの燃焼ガスに含まれている可燃性ガスの未燃分（未燃ガスという）は、廃熱ボイラの一部である二次燃焼室で二次燃焼用空気を受けて燃焼（二次燃焼という）する。二次燃焼の後に燃焼排ガスは廃熱ボイラで熱回収される。
【０００６】
従来の火格子式廃棄物焼却炉では、実際に焼却炉内に供給する空気量を廃棄物の燃焼に必要な理論空気量で除した比（空気比）は、通常、１．６程度である。これは、一般燃料の燃焼に必要な空気比である１．０５〜１．２に比べて大きくなっている。その理由は、廃棄物には、一般燃料としての液体燃料や気体燃料に比べて不燃分が多く、かつ不均質なため、空気の利用効率が低く、燃焼を行うには多量の空気が必要となるためである。しかし、単に供給空気を多くすると、空気比が大きくなるにしたがって排ガス量も多くなるので、これに伴ってより大きな排ガス処理設備が必要となる。
【０００７】
火格子式廃棄物焼却炉において空気比を小さくした状態で、支障なく廃棄物を燃焼することができれば、排ガス量は低減し、排ガス処理設備がコンパクトになり、その結果、廃棄物焼却施設全体が小型化して設備費を低減できる。これに加えて、排ガス処理のための薬剤使用量も低減するので、運転費を低減できる。さらには、排ガス量の低減により廃熱ボイラの熱回収率を向上できるので、熱回収できずに大気に捨てられる熱量を低減させ、これに伴って廃棄物焼却廃熱を利用する発電の効率を上げることができる。 
【０００８】
このように、低空気比燃焼を行う利点は大きいが、一方で、空気比が１．５以下の低空気比燃焼では燃焼が不安定になるという問題が生じる。すなわち、低空気比で廃棄物を燃焼させると、燃焼が不安定となり、ＣＯの発生量が増加したり、火炎温度が局所的に上昇してＮＯｘが急増したり、煤が大量に発生したりして排ガス中の有害物が増加するという問題が生じ、また、局所的な高温により廃棄物や灰が溶融して炉壁に付着してクリンカが発生したり、炉壁の耐火物の寿命が短くなるという問題点がある。 
【０００９】
このような状況のもとで、空気比が１．５以下の低空気比で安定して燃焼することができる火格子式廃棄物焼却炉が検討されており、特許文献１に開示されている。この特許文献１では、火格子式廃棄物焼却炉の燃焼室の天井から高温ガスを燃焼室内に吹き込むことにより、以下の効果が得られるとしている。
【００１０】
即ち、高温ガスの顕熱と輻射により廃棄物の熱分解を促進すること、酸素を含んだ高温ガスの吹込みにより廃棄物の熱分解により発生した可燃性ガスの燃焼を促進すること、さらに高温ガスを燃焼室の天井に設けたノズルから燃焼室内に吹き込み、この高温ガスの流れと、廃棄物から発生した可燃性ガスと燃焼ガスとの上昇流とを衝突させ、廃棄物層直上に流れの遅いよどみ領域を形成することにより、可燃性ガスの流れが緩やかになり、可燃性ガスが酸化剤成分と十分に混合されるため安定した燃焼が行われ、平面状火炎を形成し定在させることなどの効果があり、高温ガスを燃焼室内に吹き込むことにより、低空気比燃焼操業下で廃棄物の燃焼を安定して行わせることができるとしている。
【００１１】
このような火格子式廃棄物焼却炉において、炉内は、廃棄物の移動方向で上流側から、乾燥領域、燃焼開始領域、主燃焼領域と後燃焼領域が順に形成される。主燃焼領域において燃焼火格子上の廃棄物は熱分解そして部分酸化が行われ、可燃性ガスが発生し、その可燃性ガスと廃棄物の固形分が燃焼する。可燃性ガスが燃焼する際に火炎を形成して燃焼する。しかる後、後燃焼領域において、残った廃棄物中の固定炭素などの固形分の未燃分が後燃焼火格子上で完全に燃焼される。固形分が燃焼する際には火炎は発生せず熾燃焼する。
【００１２】
主燃焼領域とは、廃棄物の熱分解、部分酸化が行われ可燃性ガスが発生し、その可燃性ガスが火炎を伴って燃焼しているとともに廃棄物の固形分が燃焼する燃焼領域である。火炎を伴う燃焼が実質的に完了する点を燃切点と言い、主燃焼領域と後燃焼領域との境界となる。燃切点より後の領域では、廃棄物中の固形分の未燃分が燃焼する熾燃焼領域（後燃焼領域）となる。
【先行技術文献】
【特許文献】
【００１３】
【特許文献１】特開２０１３−２１３６５２号公報
【発明の概要】
【発明が解決しようとする課題】
【００１４】
廃棄物焼却炉による廃棄物の燃焼においては、廃棄物が熱分解されて発生する可燃性ガスの燃焼を安定して行うことが、燃焼によって発生するＣＯ，ＮＯｘなどの有害物質の発生量を抑制することに大きく寄与する。そこで、特許文献１に記載の廃棄物焼却炉では、燃焼室天井に設けたノズルから高温ガスを燃焼室内に吹き込むようにして燃焼の安定を図っている。
【００１５】
このような特許文献１の廃棄物焼却炉によれば、焼却炉天井から吹き込んだ高温ガスが、
廃棄物の熱分解または燃焼により発生した熱分解ガス（可燃性ガス）と燃焼ガスとの上昇流と衝突して効果的に対向流場を形成し、淀み領域または上下方向の循環領域が広域にわたって生成されるようになる。これにより、該淀み領域または該循環領域において可燃性ガスの流れが緩やかになり安定した燃焼が行われ、火炎が平面状に定在し極めて安定した燃焼状態が保たれる。
【００１６】
また、特許文献１の廃棄物焼却炉は、二次燃焼用空気を二次燃焼室に吹込む二次燃焼用空気吹込み手段を備え、燃焼室から排出されるガスに含まれる可燃性ガスの未燃分（未燃ガス）を二次燃焼している。このように、燃焼室への高温ガスの吹込みにより燃焼を安定化し、さらに、二次燃焼室で未燃ガスを二次燃焼することにより、焼却炉から排出される排ガスの酸素、ＮＯｘ、ＣＯの濃度を適正な範囲に制御し、ＣＯ，ＮＯｘなどの有害物質の排出を規制値以下とするようにしている。
【００１７】
廃棄物焼却炉の実際の操業では標準的な操業基準で操業していても、焼却炉内の燃焼状況が変化し、排出される排ガス中の有害物質量が変動することがある。そこで、特許文献１の廃棄物焼却炉では、予め定めた一次燃焼用空気と高温ガスの供給量は維持したまま、廃棄物焼却炉内の状況を監視する因子に基づいて二次燃焼用空気供給量を増減するように調節することで排ガス中の有害物質量を所定範囲内とするように制御している。このような燃焼制御方法をとることにより、焼却炉内の燃焼状況が変化して有害物質の発生量が増大しても、最終的に廃棄物焼却炉から排出される排ガス中の有害物質量を所定範囲内とするように制御しやすくなり、さらに、焼却炉の燃焼制御系を簡単にすることができるとしている。ここで、廃棄物焼却炉内の状況を監視する因子としては、特許文献１では、例えば、燃焼室から排出される未燃ガスの二次燃焼を行う二次燃焼領域出口近傍又はボイラ出口における排ガス中の酸素濃度、ＣＯ濃度、ＮＯｘ濃度のガス成分濃度とすることが好ましいとしている。
【００１８】
しかしながら、特許文献１に記載のような燃焼制御方法では、以下のような問題がある。すなわち、排ガス中のガス成分濃度をガス濃度計により計測するが、ガス濃度計の応答時間を要するため、焼却炉内の燃焼状況が変化した時刻と計測値を得る時刻との間に時間遅れが生じ、実際の焼却炉内の燃焼状況の変動に対して、タイムリーな二次燃焼用空気供給量の増減制御ができないことがある。
【００１９】
本発明は、かかる事情に鑑み、炉天井から高温ガスを吹き込む火格子式廃棄物焼却炉において、廃棄物の燃焼を安定して行うことができ、ＣＯ、ＮＯｘ等の有害物質の発生量を抑制でき、低空気比燃焼操業を問題なく行うことが可能であり、さらに、実際の焼却炉内の燃焼状況の変動に対して、タイムリーな燃焼制御を実現できる火格子式廃棄物焼却炉及び廃棄物焼却方法を提供することを課題とする。
【課題を解決するための手段】
【００２０】
本発明において、上述の課題は、次のように構成される火格子式廃棄物焼却炉もしくは火格子式廃棄物焼却炉による廃棄物焼却方法により解決される。
【００２１】
火格子式廃棄物焼却炉の燃焼室内での廃棄物燃焼の際、不完全燃焼が生じると一酸化炭素の発生量が増大し、排ガスを大気中に放散する際の規制値を超えてしまう。発明者等は、不完全燃焼時には燃焼室内で煤が発生していて炉外から燃焼室内の火炎の視認による燃焼状況の把握ができなくなることに着目し、適切かつ迅速な燃焼制御を実現できる火格子式廃棄物焼却炉及び廃棄物焼却方法を創案するに至った。
【００２２】
＜火格子式廃棄物焼却炉＞
本発明の火格子式廃棄物焼却炉は、火格子を備え該火格子上の廃棄物を燃焼する燃焼室と、燃焼室に連設されて燃焼室からの可燃性ガスを二次燃焼する二次燃焼室と、燃焼用一次空気を上記火格子の下から上記燃焼室内に吹き込む一次空気吹込手段と、高温ガスを上記燃焼室の天井から下向きに吹き込む高温ガス吹込手段と、燃焼室のガス出口に設けられ二次燃焼空気を吹き込む二次燃焼空気吹込手段とを有する火格子式廃棄物焼却炉において、高温ガス吹込手段は、燃焼室の天井に設けられた高温ガス吹込口と、高温ガス吹込口へ高温ガスを供給する高温ガス供給手段と、燃焼室内の火炎視認状況を監視する監視手段と、監視手段からの火炎視認状況信号に基づき上記高温ガス吹込手段からの高温ガスにより供給する酸素量を制御する高温ガス吹込制御手段とを備えることを特徴とする。
【００２３】
かかる本発明においては、監視手段からの火炎視認状況信号に基づき上記二次燃焼空気吹込手段からの二次燃焼空気により供給する酸素量を制御する二次燃焼空気吹込制御手段を、さらに備えるようにすることができる。
【００２４】
かかる本発明においては、燃焼室内の火炎視認状況を監視する監視手段が、燃焼室内の燃焼状況を撮像する撮像手段であって、火炎視認状況信号が撮像手段からの画像信号を数値化し所定値と比較した差分であるようにすることができる。
【００２５】
＜火格子式廃棄物焼却炉による廃棄物焼却方法＞
本発明の火格子式廃棄物焼却炉による廃棄物焼却方法は、火格子を備え該火格子上の廃棄物を燃焼する燃焼室と、燃焼室に連設されて燃焼室からの可燃性ガスを二次燃焼する二次燃焼室と、燃焼用一次空気を上記火格子の下から上記燃焼室内に吹き込む一次空気吹込手段と、高温ガスを上記燃焼室の天井から下向きに吹き込む高温ガス吹込手段と、燃焼室のガス出口に設けられ二次燃焼空気を吹き込む二次燃焼空気吹込手段とを有する火格子式廃棄物焼却炉による廃棄物焼却方法において、燃焼室の天井に設けられた高温ガス吹込口から高温ガスを燃焼室へ供給し、燃焼室内の火炎視認状況を監視手段により監視し、監視手段からの火炎視認状況信号に基づき上記高温ガス吹込手段からの高温ガスにより供給する酸素量を制御することを特徴とする。
【００２６】
かかる本発明において、監視手段からの火炎視認状況信号に基づき、記二次燃焼空気吹込手段からの二次燃焼空気により供給する酸素量を制御することができる。
【００２７】
かかる本発明において、燃焼室内の火炎視認状況を監視する監視手段が、燃焼室内の燃焼状況を撮像する撮像手段であって、火炎視認状況信号が撮像手段からの画像信号を数値化し所定値と比較した差分であるようにすることができる。
【００２８】
このような本発明の火格子式廃棄物焼却炉そしてこれによる廃棄物焼却方法にあっては、監視手段により燃焼室内の火炎視認状況を監視し、監視手段からの火炎視認状況信号に基づき、高温ガス吹込手段、また選択的にこれに加えて二次燃焼空気吹込手段により供給される酸素量が高温ガス吹込制御手段また二次燃焼空気吹込制御手段により制御される。
【００２９】
さらに、燃焼室内の火炎視認状況を監視する監視手段が、燃焼室内の燃焼状況を撮像する撮像手段であって、火炎視認状況信号が撮像手段からの画像信号を数値化し所定値と比較した差分であるようにすることができる。撮像手段により燃焼室内の燃焼状況を撮像した画像を処理し、その明るさ、色彩、火炎形状等が数値化され、正常燃焼時の撮像で得られた所定値と比較されて、その差分にもとづき、高温ガス吹込制御手段また二次燃焼空気吹込制御手段により供給される酸素量が制御される。
【発明の効果】
【００３０】
本発明は、以上のように、燃焼室内の燃焼状況を燃焼室内の火炎視認状況を監視する監視手段により監視し、監視手段からの火炎視認状況信号に基づき、正常燃焼時の撮像で得られた所定値と比較して、吹き込まれる高温ガスあるいはこれに加え二次燃焼空気により供給される酸素量を制御することとしたので、適切かつ迅速に対応して供給酸素量を制御することができる、という効果を得る。
【図面の簡単な説明】
【００３１】
【図１】本発明の一実施形態に係る火格子式廃棄物焼却炉の概要構成を示す縦断面図である。
【発明を実施するための形態】
【００３２】
以下、本発明の実施形態を添付図面にもとづき説明する。なお、本発明の技術的範囲は、これらの実施形態によって限定されるものではなく、発明の要旨を変更することなく様々な形態で実施することができる。また、本発明の技術的範囲は、均等の範囲にまで及ぶものである。
【００３３】
以下、本発明の一実施形態の火格子式廃棄物焼却炉の基本構成、各構成装置そして作用について説明する。
【００３４】
＜火格子式廃棄物焼却炉の基本構成＞
図１は本発明の一実施形態に係る火格子式廃棄物焼却炉の概要構成を示している。まず、本発明の一実施形態に係る火格子式廃棄物焼却炉の基本構成と焼却方法の概要を説明し、次いで各構成装置の詳細を説明する。この実施形態において、燃焼室内での廃棄物の移動方向（炉長方向）における燃焼室の上流側（図１にて左側）を前部、下流側を後部という。
【００３５】
本実施形態に係る火格子式廃棄物焼却炉１は、燃焼室２と、この燃焼室２の廃棄物の流れ方向の上流側（図１の左側）上方に配置され、廃棄物を燃焼室２内に投入するための廃棄物投入口３と、燃焼室２の廃棄物の流れ方向の下流側（図１の右側）の上方に連設される廃熱ボイラ４とを備える火格子式廃棄物焼却炉である。
【００３６】
燃焼室２の底部には、廃棄物を移動させながら燃焼させる火格子（ストーカ）５が設けられている。この火格子５は、廃棄物投入口３に近い方から、すなわち、上流側から乾燥火格子５ａ、燃焼火格子５ｂ、後燃焼火格子５ｃの順に設けられていて、乾燥火格子５ａと燃焼火格子５ｂの上に廃棄物層Ｗが形成されている。
【００３７】
乾燥火格子５ａでは主として廃棄物の乾燥と着火が行われる。燃焼火格子５ｂでは主として廃棄物の熱分解、部分酸化が行われ、熱分解により発生した可燃性ガスと固形分の燃焼が行われ、可燃性ガスが燃焼する際に火炎を形成する。後燃焼火格子５ｃ上では、残った廃棄物中の固形分の未燃分を完全に燃焼させる。廃棄物中の固形分が燃焼する際には火炎は発生せず熾燃焼する。完全に燃焼した後の燃焼灰は、灰落下口６より排出される。 
【００３８】
このような本実施形態の火格子式廃棄物焼却炉では、燃焼室２内の空間に、廃棄物層の直上の空間に、下記のような諸領域が形成される。
【００３９】
乾燥火格子５ａの直上方で廃棄物投入口３の下方に対応して位置する、該乾燥火格子５ａの廃棄物の流れ方向の上流側範囲（前部）の上方には乾燥領域が形成される。
【００４０】
乾燥火格子５ａの下流側範囲（後部）から燃焼火格子５ｂの上流側範囲（前部）の上方には燃焼開始領域が形成される。すなわち、乾燥火格子５ａの廃棄物は、上流側範囲で乾燥され、下流側範囲で着火して、燃焼火格子５ｂの上流側範囲（前部）までの範囲で燃焼が開始する。
【００４１】
燃焼火格子５ｂ上の廃棄物はここで熱分解そして部分酸化が行われ、可燃性ガスが発生し、その可燃性ガスと廃棄物の固形分が燃焼する。廃棄物はこの燃焼火格子５ｂ上で実質的に殆んど燃焼される。こうして、上記燃焼火格子５ｂの上方に主燃焼領域が形成される。
【００４２】
しかる後、僅かに残った廃棄物中の固定炭素など未燃分が後燃焼火格子５ｃ上で完全に燃焼される。この後燃焼火格子５ｃの上方に後燃焼領域が形成される。
【００４３】
廃棄物が焼却される場合、まず水分の蒸発が起こり、次いで熱分解と部分酸化反応が起こり、可燃性ガスが生成し始める。燃焼開始領域で廃棄物の燃焼が始まり、廃棄物の熱分解、部分酸化により可燃性ガスが生成し始める。主燃焼領域で廃棄物の熱分解、部分酸化が行われ可燃性ガスが発生し、その可燃性ガスが火炎を伴って燃焼しているとともに廃棄物の固形分が燃焼する。主燃焼領域は火炎を伴う燃焼が完了する点（燃切点）までの領域である。燃切点より後の領域では、廃棄物中の固形未燃分が燃焼する熾燃焼領域（後燃焼領域）となる。
【００４４】
上記燃焼室２内の乾燥火格子５ａ、燃焼火格子５ｂ及び後燃焼火格子５ｃの下部には、それぞれ風箱７ａ，７ｂ，７ｃが設けられている。ブロワ８により供給される燃焼用一次空気Ｐは、燃焼用一次空気供給管９を通って前記各風箱７ａ，７ｂ，７ｃに供給され、各火格子５ａ，５ｂ，５ｃを通って燃焼室２内に供給される。なお、火格子下から供給される燃焼用一次空気Ｐは、火格子５ａ，５ｂ，５ｃ上の廃棄物の乾燥及び燃焼に使われるほか、火格子５ａ，５ｂ，５ｃの冷却作用、廃棄物の攪拌作用を有する。
【００４５】
上記燃焼室２の下流側における出口には廃熱ボイラ４が連設され、廃熱ボイラ４の入口近傍が燃焼室２から排出されるガス中の可燃性ガスの未燃分（未燃ガス）を燃焼する二次燃焼室１０となっている。廃熱ボイラの一部である二次燃焼室１０内で二次燃焼用ガスを吹き込み、未燃ガスを二次燃焼し、この二次燃焼の後に燃焼排ガスは廃熱ボイラ４で熱回収される。熱回収された後、廃熱ボイラから排出された燃焼排ガスは、図示しない排ガス処理装置系で消石灰等による酸性ガスの中和と、活性炭によるダイオキシン類の吸着
が行われ、さらに図示しない除塵装置に送られ、中和反応生成物、活性炭、ダストなどが回収される。前記除塵装置で除塵され、無害化された後の燃焼排ガスは、図示しない誘引ファンにより誘引され、煙突から大気中に放出される。また、除塵装置で除塵された後の燃焼排ガスの一部が、後述する返送排ガスとして用いられる。
【００４６】
このような基本構成である火格子式廃棄物焼却炉において、本実施形態に係る火格子式廃棄物焼却炉１は、以下のように燃焼用一次空気を上記火格子の下から上記燃焼室内に吹き込む一次空気吹込手段と、燃焼室の天井に炉長方向で複数位置に高温ガス吹込口を備え高温ガスをこの高温ガス吹込口から下向きに吹き込む高温ガス吹込手段と、燃焼室の天井に炉長方向で複数位置に返送排ガス吹込口を備え返送排ガスをこの返送排ガス吹込口から下向きに吹き込む返送排ガス吹込手段と、さらには廃熱ボイラの入口部に設けられた二次燃焼室へ二次燃焼空気を吹き込む二次燃焼空気吹込手段とを具備している。上記高温ガス吹込手段は高温ガス吹込制御装置により、そして二次燃焼空気吹込手段は二次燃焼空気吹込制御装置によりそれぞれ吹込み量が制御されている。
【００４７】
＜一次空気吹込手段＞
本実施形態では、火格子式廃棄物焼却炉１は、燃焼用空気となる一次空気の一次空気吹込手段を備えている。一次空気吹込手段は、空気供給源からの一次空気Ｐを燃焼用一次空気供給管９を経て、乾燥火格子５ａ、燃焼火格子５ｂ及び後燃焼火格子５ｃのそれぞれの風箱７ａ，７ｂ，７ｃに分岐供給管から送り込むようになっており、上記燃焼用一次空気供給管９には、ブロワ８そして流量調整機構としてのダンパ１１が設けられている。
【００４８】
燃焼用の一次空気Ｐは、ブロワ８から燃焼用一次空気供給管９を通って乾燥火格子５ａ、燃焼火格子５ｂ及び後燃焼火格子５ｃのそれぞれの下部に設けられた風箱７ａ，７ｂ，７ｃに供給された後、各火格子５ａ，５ｂ，５ｃを通って燃焼室２内に供給される。燃焼室２内に供給される燃焼用一次空気Ｐの流量は、燃焼用一次空気供給管９に設けられた流量調整用のダンパ１１により調整される。また、風箱７ａ，７ｂ，７ｃ及び燃焼用一次空気Ｐを供給するための燃焼用一次空気供給管９等の構成は図示したものに限定されず、焼却炉の規模、形状、用途等により適宜選択され得る。
【００４９】
＜高温ガス吹込手段＞
本実施形態では、火格子式廃棄物焼却炉１は、高温ガスを上記燃焼室２の天井２Ａから下向きに吹き込む高温ガス吹込装置２１を備えている。高温ガス吹込装置２１は、流量調整機構としてのダンパ２３を介して、火格子５上の廃棄物の移動方向である炉長方向の複数位置で燃焼室の天井２Ａに高温ガス吹込口１３ａ，１３ｂに接続されている。
【００５０】
高温ガス吹込口１３ａは乾燥火格子５ａの上方位置に、他方の高温ガス吹込口１３ｂは燃焼火格子５ｂの上流側範囲（前部）の上方位置に設けられている。
【００５１】
高温ガス吹込装置２１は、後に詳説するように、高温空気ＨＡと返送排ガスＥとを受け、これらを混合して高温ガスＨとして、ダンパ２３による流量調整のもとに、上記高温ガス吹込口１３ａ，１３ｂから炉内へ吹き込むようになっている。
【００５２】
高温ガス吹込装置２１は、返送排ガスＥと高温空気ＨＡとを混合して高温ガスを調製し、該高温ガスＨを高温ガス吹込口１３ａ，１３ｂから炉内へ吹き込む。ここで、「返送排ガス」とは、焼却炉から排出された排ガスを排ガス処理系で中和処理し除塵装置で除塵した後の排ガスの一部である。また、上記「高温空気」は、空気を加熱器により加熱して生成される。高温ガス吹込装置２１は、返送排ガスＥと高温空気ＨＡのそれぞれの流量を調整することにより混合割合を調整して高温ガスの温度、酸素濃度を調整する。また、高温ガス吹込装置２１は、高温空気ＨＡのみ又は返送排ガスＥのみを高温ガスＨとして供給してもよい。
【００５３】
本実施形態では、上記高温ガス吹込装置２１で返送排ガスＥと高温空気ＨＡを混合して高温ガスを調製する際に、返送排ガスＥと高温空気ＨＡのそれぞれの流量を調整することにより混合割合を調整して高温ガス中の酸素濃度を調整すること、上記ダンパ２３で高温ガスの流量を調整することのうち少なくとも一つにより、燃焼室２内へ高温ガスにより供給される酸素量を調整できる。
【００５４】
＜返送排ガス吹込手段＞
また、火格子式廃棄物焼却炉１は、排ガス管４ａから排出された除塵後の排ガスの一部を返送する返送排ガス吹込装置２２を備えている。返送ガス吹込装置２２は流量調整機構としてのダンパ２４を介して返送ガス吹込口１４ａ，１４ｂに接続されている。
返送ガスの吹込口１４ａは上記燃焼火格子５ｂの下流側範囲（後部）の上方位置に、他方の返送ガス吹込口１４ｂは後燃焼火格子５ｃの上方位置に設けられている。
【００５５】
返送排ガス吹込装置２２は排ガス管４ａから排出され集塵装置（図示せず）で除塵された排ガスの一部を受け、ダンパ２４による流量調整のもとに、返送排ガス吹込口１４ａ，１４ｂから炉内へ吹き込むようになっている。
【００５６】
＜二次燃焼用ガス供給手段＞
また、本実施形態の火格子式廃棄物焼却炉１は、二次燃焼用空気を廃熱ボイラ４の入口近傍に相当する二次燃焼室１０の上流側に吹き込む二次燃焼用空気供給系を備えている。二次燃焼用空気供給系は、二次燃焼空気供給源からの二次燃焼空気Ｑを管路１２を経て、二次燃焼室１０の上流側に設けられた二次燃焼空気吹込口１７に送り込むようになっており、上記管路１２には、ブロワ１８そして流量調整機構としてのダンパ１９が設けられている。二次燃焼空気吹込口１７は、廃熱ボイラ４の入口近傍にある二次燃焼室１０の上流側に二次燃焼空気Ｑを吹き込むように、燃焼室２のガス出口に設けられている。燃焼室２内で発生した可燃性ガスはそのほとんどが燃焼室２内で燃焼され、残存する未燃ガスは、後燃焼火格子５ｃの上方に連接される廃熱ボイラ４の入口近傍に相当する二次燃焼室１０に流入し、ここで二次燃焼空気により二次燃焼される。二次燃焼空気Ｑを二次燃焼空気吹込口１７から水平方向に吹き込むことにより、未燃ガス二次燃焼空気Ｑとの混合攪拌が促進され、未燃ガスの燃焼が確実に行われるので、吹き込み方向をこのように定めることが好ましい。
【００５７】
なお、本発明において、上記燃焼用一次空気、高温ガス、返送排ガスそして二次燃焼空気を供給するための管路等の構成は図示したものに限定されず、焼却炉の規模、形状、用途等により適宜選択され得る。
【００５８】
＜高温ガス吹込制御装置及び二次燃焼空気吹込制御装置＞
本実施形態では、高温ガス吹込制御装置２０と二次燃焼空気吹込制御装置３０とを有していて、高温ガス吹込制御装置２０は高温ガス吹込装置２１へ高温空気ＨＡと返送排ガスＥとの混合比の調整のための指令を発することと、ダンパ２３での流量調整のための指令を発することとの少なくとも一つを行う。一方、二次燃焼空気吹込制御装置３０は、二次燃焼室１０に設けられた二次燃焼空気吹込口１７から吹き込まれる二次燃焼空気の吹込量を調整すべくダンパ１９に指令を発する。
【００５９】
本実施形態では、燃焼室２の後壁に監視窓３２が設けられていて、炉外には該監視窓３２を透して燃焼室２内の燃焼状況を撮像して火炎視認状況を監視する監視手段としてのカメラ３１が配設されており、該カメラ３１はその撮像を画像処理し画像情報としての明るさ、色彩、火炎形状等を数値化する手段に接続もしくは該手段を具備していて数値化処理された画像情報信号を発する。この画像処理及び数値化処理は後述の高温ガス吹込制御装置２０そして二次燃焼空気吹込制御装置３０で行ってもよい。この画像情報信号が火炎視認状況信号として用いられる。
【００６０】
上記監視手段は、上述の高温ガス吹込制御装置２０と二次燃焼空気吹込制御装置３０へ上記火炎視認状況信号を送るように接続されている。高温ガス吹込制御装置２０と二次燃焼空気吹込制御装置３０は、燃焼室２内での燃焼が正常な状態、すなわち煤が発生せず火炎が視認可能な状況における撮像をもとに得られた火炎視認状況信号の所定値をそれぞれ有しあるいは共有していて、監視手段からの時々刻々変化する実際の燃焼状態の撮像から得れる火炎視認状況信号の数値と比較して、その差分にもとづいて高温ガス吹込制御装置２０は高温ガス吹込装置２１とダンパ２３を制御し、二次燃焼空気吹込制御装置３０は後述の管路１２のダンパ１９を制御する。これらの制御要領は後述する。
【００６１】
次に、このように構成される本実施形態の装置での焼却状況の概要、高温ガス吹込制御及び二次燃焼空気吹込制御について順次説明する。
【００６２】
＜焼却状況の概要＞
先ず、廃棄物投入口３へ廃棄物を投入すると、落下した廃棄物は図示しない廃棄物供給装置により燃焼室２内に供給され、乾燥火格子５ａ上に堆積され、各火格子５ａ〜５ｃの動作により、燃焼火格子５ｂ上そして後燃焼火格子５ｃ上へと移動し、各火格子上に廃棄物Ｗの層を形成する。各火格子は、風箱７ａ，７ｂ，７ｃを経て、燃焼用の一次空気を受けており、これにより各火格子の廃棄物は乾燥そして燃焼される。
【００６３】
乾燥火格子５ａ上では主として廃棄物の乾燥と着火が行われる。すなわち、乾燥火格子５ａの廃棄物は、乾燥火格子５ａの上流側範囲で乾燥され、乾燥火格子５ａの下流側範囲で着火して、燃焼火格子５ｂの上流側範囲（前部）までの範囲で燃焼が開始する。燃焼火格子５ｂ上では主として廃棄物の熱分解、部分酸化が行われ可燃性ガスが発生し、その可燃性ガスが火炎を伴って燃焼するとともに、廃棄物中の固形分の燃焼が行われる。燃焼火格子５ｂ上において廃棄物の燃焼は実質的に完了する。後燃焼火格子５ｃ上では、僅かに残った廃棄物中の固定炭素など未燃分を完全燃焼させる。燃切点より後の領域では、廃棄物中の固形未燃分（チャー）が燃焼され、完全燃焼した後の燃焼灰は、灰落下口６より排出される。
【００６４】
既述のごとく、燃焼室２の出口に、廃熱ボイラ４が連設されていて、廃熱ボイラ４の入口近傍が二次燃焼室１０となっている。したがって、燃焼室２内で発生した未燃ガスは、二次燃焼室１０に導かれ、そこで二次燃焼空気Ｑと混合・攪拌され、二次燃焼する。二次燃焼の後に排ガスは廃熱ボイラ４で熱回収される。熱回収された後、廃熱ボイラ４から排出された排ガスは、消石灰等による酸性ガスの中和と、活性炭によるダイオキシン類の吸着が行われ、さらに除塵装置（図示せず）に送られ、中和反応生成物、活性炭、ダストなどが回収される。上記除塵装置で除塵され、無害化された後の排ガスは、誘引ファン（図示せず）により誘引され、煙突から大気中に放出される。なお、上記除塵装置としては、例えば、バグフィルタ方式、電気集塵方式等の除塵装置を用いることができる。また、除塵装置で除塵された後の排ガスの一部が、返送排ガスＥとして用いられる。
【００６５】
＜高温ガス吹込制御及び二次燃焼空気吹込制御＞
火格子式廃棄物焼却炉の燃焼室内の燃焼状況を撮像するカメラ３１により得られ数値化された火炎視認状況信号に基づき、燃焼室内の燃焼を良好な状態とするように、すなわち、不完全燃焼が生じないように、高温ガス吹込制御装置２０そして二次燃焼空気吹込制御装置３０により次の要領のもとで、高温ガスそして二次燃焼空気の供給量を制御する。
【００６６】
火格子式廃棄物焼却炉の燃焼室内での廃棄物燃焼の際、不完全燃焼が生じると一酸化炭素の発生量が増大し、排ガスを大気中に放散する際の規制値を超えてしまう。不完全燃焼時には燃焼室内で煤が発生していて炉外から燃焼室内の火炎の視認による燃焼状況の把握ができなくなる。
【００６７】
本発明では、燃焼室内のこのような燃焼状況をカメラ３１で直接撮像し、その撮像を画像処理し画像情報としての明るさ、色彩、火炎形状等を数値化してその火炎視認状況を示す数値を、正常燃焼時の撮像で得られた所定値と比較して、その差分にもとづき、吹き込まれる高温ガスあるいはこれに加え二次燃焼空気の供給量を制御する。
【００６８】
瞬時の実際の燃焼状況においてカメラ３１で得られる撮像は、判定しやすいように、明るさ、色彩、火炎形状等で数値化し、例えばその時間平均値を算出し、火炎視認状況を示す数値として、予め正常燃焼時に撮像して得られた基準値と比較し、その差分が許容範囲内にあるかどうかを判定する。例えば、不完全燃焼で煤（煙）が多く発生していれば暗い画像が得られるので、その場合、上記数値が基準値範囲に収まるまで、その差分にもとづいて高温ガスの供給量を増加し、例えば通常状態の１．２〜１．５倍に増加し、あるいはこれとともに、二次燃焼空気の供給量をも増加し、例えば通常状態の１．５〜３倍に増加する。
【００６９】
火炎視認状況を示す数値と基準値と比較した差分が許容範囲内になれば、燃焼室内での燃焼状況が改善され正常燃焼状態となったと判定して、高温ガス及び二次燃焼空気の供給量を通常状態に戻すように制御する。
【００７０】
このように、火格子式廃棄物焼却炉への廃棄物の供給量や質の変動により燃焼室内での燃焼状況が変動した場合、カメラ撮像から得る画像の明るさや色彩も変わってくるので、画像情報を数値化した数値を所定の基準値と比較判定して、高温ガス及び二次燃焼空気の供給量を加減して、燃焼を好ましい状態とするように制御する。
【００７１】
また、燃焼室内の燃焼状況をカメラで撮像し、撮像した画像から火炎視認状況を示す情報を得て、高温ガス及び二次燃焼空気の供給量を制御することの代わりに、カメラで撮像した画面を運転員が監視し火炎を視認できない状況になったと判定したときに、高温ガス及び二次燃焼空気の供給量を制御するようにしてもよい。
【符号の説明】
【００７２】
１  火格子式廃棄物焼却炉
２  燃焼室
２Ａ  天井
７ａ〜７ｃ  一次空気吹込手段（風箱）
９  一次空気吹込手段（燃焼用一次空気供給管）
１０  二次燃焼室
１２  二次燃焼空気吹込手段（管路）
１３ａ，１３ｂ  高温ガス吹込口
１７  二次燃焼空気吹込手段（二次燃焼空気吹込口）
２０  高温ガス吹込制御装置
３０  二次燃焼空気吹込制御装置
【図１】
0006465351.tif 000002